(57)【要約】  本発明実施形態は、ユーザの連絡者動的情報を取得することと、当該ユーザのインスタントメッセージチャットウインドウに当該連絡者動的情報を表示することとを含む、連絡者動的情報の提示方法を提供する。本発明実施形態は、連絡者動的情報の提示装置をさらに提供する。本発明の実施形態によれば、連絡者の動的更新の情報をユーザのインスタントメッセージチャットウインドウに表示することができる。これにより、ユーザが連絡者とチャットする際には、チャットの対話モデルにおいて相手方の動的更新情報の情報をリアルタイムに目にすることができる。ユーザにとって、より容易且つリアルタイムに情報を取得し且つ選別することができるため、連絡者との良好なコミュニケーションが促進され、ユーザの体験感触も向上される。【選択図】図１Ａ
2014534494.tif 000002
【特許請求の範囲】
【請求項１】
連絡者動的情報の提示方法であって、
ユーザの連絡者動的情報を取得することと、
当該ユーザのインスタントメッセージチャットウインドウに前記連絡者動的情報を表示することとを含む、連絡者動的情報の提示方法。
【請求項２】
前記ユーザの連絡者動的情報を取得することは、ネットワークアプリケーションプラットフォームからユーザの連絡者動的情報を取得することを含む、請求項１に記載の連絡者動的情報の提示方法。
【請求項３】
前記ネットワークアプリケーションプラットフォームは、ネットワーク個人スペースを提供するアプリケーションプラットフォーム、ミニブログスペースを提供するアプリケーションプラットフォーム、ブログスペースを提供するアプリケーションプラットフォーム、オンラインゲームプラットフォーム及びオンライン取引プラットフォームのうちの少なくとも一つを含む、請求項２に記載の連絡者動的情報の提示方法。
【請求項４】
前記ユーザのインスタントメッセージチャットウインドウに連絡者動的情報を表示することは、当該ユーザのインスタントメッセージチャットウインドウの上部又は要約エリアに前記連絡者動的情報を表示することを含む、請求項１に記載の連絡者動的情報の提示方法。
【請求項５】
前記連絡者動的情報は、前記連絡者により動的更新された情報の数、及び／又は、要約形式で表れた、連絡者により動的更新された情報を含む、請求項１に記載の連絡者動的情報の提示方法。
【請求項６】
前記ユーザのインスタントメッセージチャットウインドウに連絡者動的情報を表示することは、
当該ユーザのインスタントメッセージチャットウインドウの上部に、今回のチャットと前回のチャットとの間に発生した、連絡者により動的更新された情報の数を表示すること、及び／又は、
当該ユーザのインスタントメッセージチャットウインドウの要約エリアに、今回のチャットと前回のチャットとの間に発生し且つ要約形式で表れた、連絡者により動的更新された最新の情報を表示すること、及び／又は、
連絡者により動的更新された情報の全部又は一部の内容、及び／又は、
連絡者所属グループにおいてグループ友人が更新された情報を含む、請求項１に記載の連絡者動的情報の提示方法。
【請求項７】
前記ユーザのインスタントメッセージチャットウインドウは、シングルユーザーとチャットする際のインスタントメッセージチャットウインドウ、インスタントメッセージグループチャットダイアログボックス、モバイルインスタントメッセージチャットダイアログボックス又はモバイルインスタントメッセージチャットアドレスブックを含む、請求項１〜６のいずれかに記載の連絡者動的情報の提示方法。
【請求項８】
連絡者動的情報の提示装置であって、連絡者動的情報取得ユニット及び連絡者動的情報表示ユニットを含み、
前記連絡者動的情報取得ユニットは、ユーザの連絡者動的情報を取得するために用いられ、
前記連絡者動的情報表示ユニットは、当該ユーザのインスタントメッセージチャットウインドウに前記連絡者動的情報を表示するために用いられる、連絡者動的情報の提示装置。
【請求項９】
前記連絡者動的情報表示ユニットは、当該ユーザのインスタントメッセージチャットウインドウの上部又は要約エリアに前記連絡者動的情報を表示するために用いられる、請求項８に記載の連絡者動的情報の提示装置。
【請求項１０】
前記連絡者動的情報表示ユニットは、当該ユーザのインスタントメッセージチャットウインドウの上部に、今回のチャットと前回のチャットとの間に発生した、連絡者により動的更新された情報の数を表示するために用いられ、及び／又は、
当該ユーザのインスタントメッセージチャットウインドウの要約エリアに、今回のチャットと前回のチャットとの間に発生し且つ要約形式で表れた、連絡者により動的更新された最新の情報を表示するために用いられる、請求項８に記載の連絡者動的情報の提示装置。
【請求項１１】
前記ユーザのインスタントメッセージチャットウインドウは、シングルユーザーとチャットする際のインスタントメッセージチャットウインドウ、インスタントメッセージグループチャットダイアログボックス、モバイルインスタントメッセージチャットダイアログボックス又はモバイルインスタントメッセージチャットアドレスブックを含む、請求項８〜１０のいずれかに記載の連絡者動的情報の提示装置。
【発明の詳細な説明】
【技術分野】
【０００１】
本発明の実施形態は、インターネット応用技術分野に関し、より具体的には、連絡者動的情報の提示方法及び提示装置に関する。
【背景技術】
【０００２】
コンピュータ技術及びネットワーク技術の急速な発展に伴い、人々の的日常生活、勉強及び仕事においてインターネット（Ｉｎｔｅｒｎｅｔ）が果たす役割も大きくなってきている。特にインスタントメッセージ（Ｉｎｓｔａｎｔ  Ｍｅｓｓａｇｉｎｇ，ＩＭ）は、インターネットの一つの重要な応用である。
【０００３】
インスタントメッセージとは、インターネット情報などをリアルタイムに送信及び受信することができるビジネスをいう。インスタントメッセージは１９９８年に現れるが、それ以降、インスタントメッセージの機能が増えつつあり、電子メール、ブログ、音楽、テレビ、ゲーム及び検索など複数の機能を徐々に整合してきた。インスタントメッセージは、単なるチャットツールにとどまらず、交流、インフォメーション、娯楽、検索、電子ビジネス、オフィス協働（ｏｆｆｉｃｅ  ｃｏｏｐｅｒａｔｉｏｎ）及び企業の顧客サービスなどを一体的にまとめた総合的な情報プラットフォームにまで発展し、端末がネットワークに接続されるインスタントメッセージネットワークのサービスとなっている。インスタントメッセージサービスの多くは、連絡者リスト、連絡者はオンラインであるか否か、及び連絡者とチャットできるか否かなどを表示するという、状態情報を提供する特徴を有している。
【０００４】
現在のネットワーク応用上の多様化及び総合化の益々の発展に伴い、人々は常に、インスタントメッセージ連絡者の更新情報の状態を理解しようとしている。例えば、あるユーザＡの連絡者が自身のスペースにおいて、ログを発表したりテストに参加したり投票したり、更には写真などをアップロードした場合、これら更新された情報をユーザＡに今すぐに知らせたい。
【発明の概要】
【発明が解決しようとする課題】
【０００５】
しかしながら、現在の各インスタントメッセージツールでは、連絡者の情報更新状態はリアルタイムに表示されず、ユーザは、連絡者の具体的な情報更新の状態を自ら探さなければならない。例えば、ユーザＡの連絡者のスペースに更新情報があった場合、従来技術では、ユーザＡは、当該連絡者のスペースにアクセスして初めて、連絡者に動的更新された情報があったことが分かる。従って、従来の対話モデルでは、ユーザは連絡者の動的情報をリアルタイムに関心を持つことができず、連絡者と良好なコミュニケーションを取ることに不利である。
【課題を解決するための手段】
【０００６】
本発明の実施形態において、連絡者との良好なコミュニケーションを促進する連絡者動的情報の提示方法が提供される。
【０００７】
本発明の実施形態において、連絡者との良好なコミュニケーションを促進する連絡者動的情報の提示装置がさらに提供される。
【０００８】
本発明実施形態の具体的な技術案は以下に示す通りである。
【０００９】
連絡者動的情報の提示方法であって、ユーザの連絡者動的情報を取得することと、当該ユーザのインスタントメッセージチャットウインドウに前記連絡者動的情報を表示することとを含む、連絡者動的情報の提示方法。
【００１０】
連絡者動的情報の提示装置であって、連絡者動的情報取得ユニット及び連絡者動的情報表示ユニットを含み、前記連絡者動的情報取得ユニットは、ユーザの連絡者動的情報を取得するために用いられ、前記連絡者動的情報表示ユニットは、当該ユーザのインスタントメッセージチャットウインドウに前記連絡者動的情報を表示するために用いられる、連絡者動的情報の提示装置。
【発明の効果】
【００１１】
上述した技術案から分かるように、本発明実施形態では、先ずユーザの連絡者動的情報を取得し、その後、当該ユーザのインスタントメッセージチャットウインドウに当該連絡者動的情報を表示する。このことから分かるように、本発明実施形態によれば、連絡者の動的更新データをユーザのインスタントメッセージチャットウインドウに表示することができる。これにより、ユーザが連絡者とチャットする際には、チャットの対話モデルにおいて相手方の動的情報の更新をリアルタイムに目にすることができる。ユーザにとって、より容易且つリアルタイムに情報を取得し且つ選別することができるため、連絡者との良好なコミュニケーションが促進され、ユーザの体験感触も向上される。
【図面の簡単な説明】
【００１２】
【図１Ａ】本発明実施形態の連絡者動的情報の提示方法のフローチャートである。
【図１Ｂ】本発明実施形態の連絡者動的情報の提示システムの構成を示す模式図である。
【図２】本発明実施形態に基づくインスタントメッセージチャット対話モデルにおける、連絡者動的情報更新後のインターフェース模式図である。
【図３】本発明実施形態のインスタントメッセージチャット対話モデルにおける、連絡者動的情報一部未更新時のインターフェース模式図である。
【図４】本発明実施形態に基づくインスタントメッセージグループチャット対話モデルにおける、連絡者動的情報一部未更新時のインターフェース模式図である。
【図５】本発明実施形態に基づくモバイルインスタントメッセージチャット対話モデルにおける、連絡者動的情報更新後のインターフェース模式図である。
【図６】本発明実施形態に基づく連絡者動的情報の提示装置を示す構成図である。
【発明を実施するための形態】
【００１３】
本発明の目的、技術案及び利点をさらに明らかにするため、以下、図面を参照して本発明をさらに詳細に説明する。
【００１４】
図１Ａは、本発明の実施形態に基づく連絡者動的情報の提示方法のフローチャートである。
【００１５】
図１に示すように、当該方法は、ステップ１０１、ステップ１０２を含む。
【００１６】
ステップ１０１では、ユーザの連絡者動的情報を取得する。
【００１７】
ここでは、複数種類のネットワークアプリケーションプラットフォームからユーザの連絡者の色々な動的情報を取得し得る。詳細を以下に示す。
【００１８】
一実施形態では、当該ユーザの連絡者にネットワーク個人スペースを提供するアプリケーションプラットフォームから連絡者動的情報を取得し得る。この時、当該連絡者動的情報は、具体的にスペース動的情報であり、当該スペース動的情報は、例えば連絡者がそのネットワーク個人スペースにおいてログを発表したりテストに参加したり投票したり、更には写真などをアップロードしたりすることである。例えば、具体的にテンセント（Ｔｅｎｃｅｎｔ）インスタントメッセージツールを使用する場合、ここでのネットワーク個人スペースはＱＱスペースであり得る。
【００１９】
一実施形態では、当該ユーザの連絡者にミニブログスペースを提供するアプリケーションプラットフォームから連絡者動的情報を取得し得る。この時、当該連絡者動的情報は、具体的にミニブログ動的情報であり、当該ミニブログ動的情報は、例えば連絡者がそのミニブログスペースにおいてログを発表したりテストに参加したり投票したり、更には写真などをアップロードしたりすることである。例えば、具体的にテンセントインスタントメッセージツールを使用する場合、ここでのミニブログスペースはＱＱミニブログであり得る。
【００２０】
一実施形態では、当該ユーザの連絡者にブログスペースを提供するアプリケーションプラットフォームから連絡者動的情報を取得し得る。この時、当該連絡者動的情報は、具体的にブログ動的情報であり、当該ブログ動的情報は、例えば連絡者がそのブログスペースにおいてログを発表したりテストに参加したり投票したり、更には写真などをアップロードしたりすることである。例えば、具体的にテンセントインスタントメッセージツールを使用する場合、ここでのブログスペースはＱＱブログであり得る。
【００２１】
一実施形態では、当該ユーザの連絡者のオンラインゲームプラットフォームから連絡者動的情報を取得し得る。この時、当該連絡者動的情報は、具体的にオンラインゲームプラットフォーム動的情報であり、当該オンラインゲームプラットフォーム動的情報は、例えば連絡者がそのオンラインゲームプラットフォームにおいてログを発表したりテストに参加したり投票したり、更には写真などをアップロードしたりすることである。例えば、具体的にテンセントインスタントメッセージツールを使用する場合、ここでのオンラインゲームプラットフォームはＱＱゲームであり得る。
【００２２】
一実施形態では、当該ユーザの連絡者のオンライン取引プラットフォームから連絡者動的情報を取得し得る。この時、当該連絡者動的情報は、具体的にオンライン取引プラットフォーム動的情報であり、当該オンライン取引プラットフォーム動的情報は、例えば連絡者がそのオンラインゲームプラットフォームにおいてログを発表したりテストに参加したり投票したり、更には写真などをアップロードしたりすることである。例えば、具体的にテンセントインスタントメッセージツールを使用する場合、ここでのオンライン取引プラットフォームはＱＱオークションであり得る。
【００２３】
また、前記取得された連絡者動的情報は、連絡者動的更新の情報の数、及び／又は、要約形式で表れた、連絡者により動的更新された情報を含むことが好ましい。例えば、連絡者がネットワーク個人スペースにおいて１５個の情報を更新した場合、この時の連絡者動的情報はその数（すなわち１５）であり得る。また、例えば連絡者がネットワーク個人スペースにおいて先ず一連のログを更新し、その後いくつかのホームページアドレスシェアを発表した場合、この時の連絡者動的情報は、後に続く情報をユーザに表示しやすいように、要約形式で表れた、連絡者により動的更新された最後の情報であってもよい。
【００２４】
前記取得された連絡者動的情報は、連絡者により動的更新された情報の全部又は一部の内容、及び／又は、連絡者所属グループにおいてグループ友人が更新された情報を含んでもよい。
【００２５】
色々な方法により各種のネットワークアプリケーションプラットフォーム中の連絡者動的情報を取得し得る。例えば、それぞれのネットワークアプリケーションプラットフォーム中の連絡者動的情報が更新された場合、当該ネットワークアプリケーションプラットフォームが当該ユーザのインスタントメッセージサーバーに連絡者動的情報を自発的に提供する。又は、ユーザのインスタントメッセージサーバーがネットワークアプリケーションプラットフォームに、連絡者動的情報照会情報を送信し、ネットワークアプリケーションプラットフォーム中の連絡者動的情報が更新されたか否かを自発的に照会する。照会情報を受信し、且つ当該連絡者動的情報が更新された場合、ネットワークアプリケーションプラットフォームは当該ユーザのインスタントメッセージサーバーに当該連絡者の動的情報を送信する。
【００２６】
図１Ｂに示すように、インスタントメッセージサーバー１は、ネットワークアプリケーションプラットフォーム１、ネットワークアプリケーションプラットフォーム２、ネットワークアプリケーションプラットフォーム３から、クライアント１、クライアント２及びクライアント３の連絡者動的情報を取得し、インスタントメッセージサーバー２は、ネットワークアプリケーションプラットフォーム１、ネットワークアプリケーションプラットフォーム２、ネットワークアプリケーションプラットフォーム３から、クライアント４及びクライアント５の連絡者動的情報を取得する。
【００２７】
いくつか具体的な連絡者動的情報の提供源を以上に挙げたが、これら模範例は説明のためにすぎず、本発明実施形態の構成に対して如何なる限定にもならないことを当業者は理解できる。
【００２８】
ステップ１０２では、当該ユーザのインスタントメッセージチャットウインドウにステップ１０１で取得した連絡者動的情報を表示する。
【００２９】
インスタントメッセージチャットウインドウは、インスタントメッセージクライアントによって提供され、表示機能を有するコンピューティングデバイス（ｃｏｍｐｕｔｉｎｇ  ｄｅｖｉｃｅ）中に存在し得る。連絡者動的情報を表示する前には、インスタントメッセージサーバーが、取得された連絡者動的情報を当該ユーザのクライアントに提供することをさらに含む。例えば、インスタントメッセージサーバーが、当該ユーザのクライアントに連絡者動的情報を自発的に提供する。又は、ユーザのクライアントがインスタントメッセージサーバーに連絡者動的情報照会情報を自発的に送信し、インスタントメッセージサーバーが、更新された連絡者情報を取得したか否かを自発的に照会する。照会情報を受信し、且つインスタントメッセージサーバーが、更新された連絡者情報を取得した場合、インスタントメッセージサーバーは、ユーザのクライアントに当該連絡者の動的情報を送信する。図１Ｂに示すように、クライアント１、クライアント２、クライアント３は、インスタントメッセージサーバー１から連絡者動的情報を取得して当該ユーザのインスタントメッセージチャットウインドウに表示し、クライアント４、クライアント５は、インスタントメッセージサーバー２から連絡者動的情報を取得して当該ユーザのインスタントメッセージチャットウインドウに表示する。
【００３０】
なお、図１Ｂに示すシステム構成図は、ネットワークアプリケーションプラットフォームと、インスタントメッセージサーバーとクライアントとの間の接続関係をロジック上から説明したものにすぎない。上述した実例中の機能エンティティのそれぞれは、同一のハードウェアエンティティに存在してもよく、異なるハードウェアエンティティに存在してもよいことを当業者は理解できる。
【００３１】
ここでは、当該ユーザのインスタントメッセージチャットウインドウの上部又は要約エリアに前記取得された連絡者動的情報を表示することが好ましい。また、前記取得された連絡者動的情報は、インスタントメッセージチャットウインドウのユーザによって指定された他のエリアに表示されてもよい。
【００３２】
より具体的には、当該ユーザのインスタントメッセージチャットウインドウの上部に、今回のチャットと前回のチャットとの間に発生した、連絡者により動的更新された情報の数を表示するために用いられ、及び／又は、当該ユーザのインスタントメッセージチャットウインドウの要約エリアに、今回のチャットと前回のチャットとの間に発生し且つ要約形式で表れた、連絡者により動的更新された最新の情報を表示し得る。
【００３３】
また、本発明実施形態は、多種のインスタントメッセージチャットウインドウに適用し得る。例えば、インスタントメッセージシングルチャットダイアログボックス、インスタントメッセージグループチャットダイアログボックス、モバイルインスタントメッセージチャットダイアログボックス、モバイルインスタントメッセージチャットアドレスブックなどに適用し得る。そのうち、インスタントメッセージシングルチャットダイアログボックスとは、シングルユーザーとチャットする場合のインスタントメッセージチャットウインドウをいう。
【００３４】
このことから分かるように、本発明実施形態では、連絡者の動的更新の情報をインスタントメッセージチャットウインドウに表示する。これにより、ユーザが連絡者とチャットする際には、チャットの対話モデルにおいて相手方の動的更新情報をリアルタイムに目にすることができる（例えば要約の形でこの種の動的更新情報を提示する）。ユーザにとって、より容易且つリアルタイムに情報を取得し且つ選別することができるため、連絡者とのコミュニケーションが促進され、ユーザの体験感触も向上される。
【００３５】
以下、いくつかの具体的な模式図を参照して本発明の実施形態をより具体的に説明する。
【００３６】
図２は、本発明実施形態に基づくインスタントメッセージチャット対話モデルにおける、連絡者動的情報更新後のインターフェース模式図である。
【００３７】
図２に示すように、連絡者動的情報が更新された場合、チャットウインドウ２０１の上部及びチャットウインドウ２０１内の要約エリアのいずれにも、二回のチャットの間の、友人の動的更新の情報が表示されている。図２から分かるように、標記“ＶＩＰ６”の下には、個人スペースロゴ（ｌｏｇｏ）２０２及び動的更新の情報数２０３（数字「１５」）があり、当該連絡者の個人スペース動的情報は１５個あることをユーザに提示する。また、図２から分かるように、チャットウインドウ内の要約エリアに、動的更新の情報の要約２０４である「ホームページアドレスシェア：ビデオ−スラムダンク……」の要約情報が提示されることによって、要約の形で、ユーザに当該連絡者の個人スペース中の最新の一つの具体的動的更新の情報を提示する。
【００３８】
図３は、本発明実施形態に基づくインスタントメッセージチャット対話モデルにおける、連絡者動的情報が未更新時のインターフェース模式図である。
【００３９】
図３に示すように、近日に連絡者に動的更新の情報がなかった場合、チャットウインドウ内の要約エリアに要約を表示しないが、連絡者の個人スペース動的情報は依然としてチャットウインドウの上部に表れ、すなわち、標記“ＶＩＰ６”の下には、個人スペースロゴ（ｌｏｇｏ）３０２及び動的更新の情報数３０３（数字「１５」）があり、当該連絡者の個人スペース動的情報は１５個あることをユーザに提示する。
【００４０】
図４は、本発明実施形態に基づくインスタントメッセージグループチャット対話モデルにおける、連絡者動的情報未更新時のインターフェース模式図である。
【００４１】
図４に示すように、グループチャットウインドウ４０１の上部において、標記“ＶＩＰ６”の下には、個人スペースロゴ（ｌｏｇｏ）４０２があり、グループチャットウインドウ４０１の上部において、グループスペースに動的更新の情報数４０３は１５個あることを提示するが、チャットウインドウ内の要約エリアに要約を表示しない。この時、グループチャットウインドウ中に、二回にグループチャットウインドウを開く間の、グループ友人が更新された情報４０４を表示する。
【００４２】
図５は、本発明実施形態に基づくモバイルインスタントメッセージチャット対話モデルにおける、連絡者動的情報更新後のインターフェース模式図である。
【００４３】
図５に示すように、モバイルインスタントメッセージチャット対話モデルのモバイルインスタントメッセージチャットアドレスブック５０１において、ユーザ「Ａｕｓｔｉｎ」の名前の右側に、個人スペースロゴ（ｌｏｇｏ）５０２を表示し、個人スペースロゴ（ｌｏｇｏ）５０２の右側において、当該ユーザ動的更新の情報数５０３は９９個であることを提示し、ユーザ「Ｂｅａｒ」の名前の右側に、個人スペースロゴ（ｌｏｇｏ）５０２を表示し、個人スペースロゴ（ｌｏｇｏ）５０２の右側において、当該ユーザ動的更新の情報数５０３は１５個であることを提示し、ユーザ「ＢＩＤＩ」の名前の右側には、個人スペースロゴ（ｌｏｇｏ）５０２を表示し、個人スペースロゴ（ｌｏｇｏ）５０２の右側において、当該ユーザ動的更新の情報数５０３は８個であることを提示する。しかし、モバイルインスタントメッセージチャットアドレスブック５０１では、対応する要約を提示しない。
【００４４】
上述した分析に基づき、本発明実施形態において、連絡者動的情報の提示装置がさらに提供される。
【００４５】
図６は、本発明実施形態に基づく連絡者動的情報の提示装置を示す構成図である。図６に示すように、当該装置は、連絡者動的情報取得ユニット６０１及び連絡者動的情報表示ユニット６０２を含む。
【００４６】
連絡者動的情報取得ユニット６０１は、ユーザの連絡者動的情報を取得するために用いられる。
【００４７】
連絡者動的情報表示ユニット６０２は、当該ユーザのインスタントメッセージチャットウインドウに前記連絡者動的情報を表示するために用いられる。
【００４８】
そのうち、一実施形態において、連絡者動的情報表示ユニット６０２は、当該ユーザのインスタントメッセージチャットウインドウの上部又は要約エリアに前記連絡者動的情報を表示するために用いられる。
【００４９】
もう一つの実施形態において、連絡者動的情報表示ユニット６０２は、当該ユーザのインスタントメッセージチャットウインドウの上部に、今回のチャットと前回のチャットとの間に発生した、連絡者により動的更新された情報の数を表示するために用いられ、及び／又は、当該ユーザのインスタントメッセージチャットウインドウの要約エリアに、今回のチャットと前回のチャットとの間に発生し且つ要約形式で表れた、連絡者により動的更新された最新の情報を表示するために用いられる。
【００５０】
連絡者情報取得ユニット６０１は、ネットワークサーバー設備、ネットワーク設備に存在してもよく、インスタントメッセージユーザが使用するパーソナルコンピュータ、スマート端末などのコンピューティングデバイスに存在してもよい。連絡者動的情報表示ユニット６０２可以位于インスタントメッセージユーザ使用的パーソナルコンピュータ、スマート端末等コンピューティングデバイス中。
【００５１】
本装置では、その全部又は一部がユーザのインスタントメッセージクライアントに存在し得る。例えば、連絡者動的情報表示ユニット６０２がインスタントメッセージクライアントに存在し、連絡者動的情報取得ユニット６０１がインスタントメッセージサーバーに存在し、連絡者動的情報は、連絡者動的情報取得ユニット６０１によりインスタントメッセージクライアントに送信され、当該インスタントメッセージクライアント上の連絡者動的情報表示ユニット６０２に表示される。又は、例えば連絡者動的情報取得ユニット６０１と連絡者動的情報表示ユニット６０２とのいずれもインスタントメッセージクライアントに存在する。インスタントメッセージクライアント上の連絡者情報取得ユニット６０１がインスタントメッセージサーバーから連絡者動的情報を取得した後、当該クライアント上の連絡者動的情報表示ユニット６０２により、取得された連絡者動的情報を表示する。
【００５２】
以上実例の説明により、ソフトウェアに、必要な汎用ハードウェアプラットフォームを加えることにより上述した実例を実現することができることは、当業者にとって明らかである。勿論、ハードウェアにより実現することもできるが、多くの場合において前者が好ましい実施形態である。このような理解に基づいて、本発明の技術案の本質、或いは従来技術に対して貢献している部分は、ソフトウェア製品の形で具体的に表すことができ、当該コンピュータソフトウェア製品は、記憶媒体に記憶され、コンピュータ設備（パーソナルコンピュータ、サーバー又はネットワーク設備など）に上述した各実例で説明した方法を実行させるためのいくつかの命令を含む。
【００５３】
上述した実例中の装置におけるモジュールは、実例で説明した通りに実例の装置に分散されてもよく、本実例と異なる一つ又は複数の装置に存在するように変更されてもよいことを当業者は理解できる。上述した実例のモジュールは、一つのモジュールにまとまってもよく、複数のサブモジュールにさらに分けられてもよい。
【００５４】
上述したように、本発明の実施形態では、先ずユーザの連絡者動的情報を取得し、その後、当該ユーザのインスタントメッセージチャットウインドウに連絡者動的情報を表示する。このことから分かるように、本発明の実施形態によれば、連絡者の動的更新の情報をユーザのインスタントメッセージチャットウインドウに表示することができる。これにより、ユーザが連絡者とチャットする際には、チャットの対話モデルにおいて相手方の動的情報の更新情報をリアルタイムに目にすることができる。ユーザにとって、より容易且つリアルタイムに情報を取得し且つ選別することができるため、連絡者との良好なコミュニケーションが促進され、ユーザの体験感触も向上される。
【００５５】
上述したのは本発明の好ましい実施例にすぎず、本発明の範囲を限定するものではない。本発明の要旨及び原則内においてなされた任意の変形、置き換え、改良などは本発明の範囲に含まれるものである。  
【図１Ａ】
2014534494.tif 000003
【図１Ｂ】
2014534494.tif 000004
【図２】
2014534494.tif 000005
【図３】
2014534494.tif 000006
【図４】
2014534494.tif 000007
【図５】
2014534494.tif 000008
【図６】
2014534494.tif 000009
【手続補正書】
【提出日】平成26年3月26日(2014.3.26)
【手続補正１】
【補正対象書類名】特許請求の範囲
【補正対象項目名】全文
【補正方法】変更
【補正の内容】
【特許請求の範囲】
【請求項１】
連絡者動的情報の提示方法であって、
ユーザの連絡者動的情報を取得することと、
当該ユーザのインスタントメッセージチャットウインドウに前記連絡者動的情報を表示することとを含む、連絡者動的情報の提示方法。
【請求項２】
前記ユーザの連絡者動的情報を取得することは、ネットワークアプリケーションプラットフォームからユーザの連絡者動的情報を取得することを含む、請求項１に記載の連絡者動的情報の提示方法。
【請求項３】
前記ネットワークアプリケーションプラットフォームは、ネットワーク個人スペースを提供するアプリケーションプラットフォーム、ミニブログスペースを提供するアプリケーションプラットフォーム、ブログスペースを提供するアプリケーションプラットフォーム、オンラインゲームプラットフォーム及びオンライン取引プラットフォームのうちの少なくとも一つを含む、請求項２に記載の連絡者動的情報の提示方法。
【請求項４】
前記ユーザのインスタントメッセージチャットウインドウに連絡者動的情報を表示することは、当該ユーザのインスタントメッセージチャットウインドウの上部又は要約エリアに前記連絡者動的情報を表示することを含む、請求項１に記載の連絡者動的情報の提示方法。
【請求項５】
前記連絡者動的情報は、前記連絡者により動的更新された情報の数、及び／又は、要約形式で表れた、連絡者により動的更新された情報を含む、請求項１に記載の連絡者動的情報の提示方法。
【請求項６】
前記ユーザのインスタントメッセージチャットウインドウに連絡者動的情報を表示することは、
当該ユーザのインスタントメッセージチャットウインドウの上部に、今回のチャットと前回のチャットとの間に発生した、連絡者により動的更新された情報の数を表示すること、及び／又は、
当該ユーザのインスタントメッセージチャットウインドウの要約エリアに、今回のチャットと前回のチャットとの間に発生し且つ要約形式で表れた、連絡者により動的更新された最新の情報を表示すること、及び／又は、
連絡者により動的更新された情報の全部又は一部の内容、及び／又は、
連絡者所属グループにおいてグループ友人が更新された情報を含む、請求項１に記載の連絡者動的情報の提示方法。
【請求項７】
前記ユーザのインスタントメッセージチャットウインドウは、シングルユーザーとチャットする際のインスタントメッセージチャットウインドウ、インスタントメッセージグループチャットダイアログボックス、モバイルインスタントメッセージチャットダイアログボックス又はモバイルインスタントメッセージチャットアドレスブックを含む、請求項１〜６のいずれかに記載の連絡者動的情報の提示方法。
【請求項８】
連絡者動的情報の提示装置であって、連絡者動的情報取得ユニット及び連絡者動的情報表示ユニットを含み、
前記連絡者動的情報取得ユニットは、ユーザの連絡者動的情報を取得するために用いられ、
前記連絡者動的情報表示ユニットは、当該ユーザのインスタントメッセージチャットウインドウに前記連絡者動的情報を表示するために用いられる、連絡者動的情報の提示装置。
【請求項９】
前記連絡者動的情報表示ユニットは、当該ユーザのインスタントメッセージチャットウインドウの上部又は要約エリアに前記連絡者動的情報を表示するために用いられる、請求項８に記載の連絡者動的情報の提示装置。
【請求項１０】
前記連絡者動的情報表示ユニットは、当該ユーザのインスタントメッセージチャットウインドウの上部に、今回のチャットと前回のチャットとの間に発生した、連絡者により動的更新された情報の数を表示するために用いられ、及び／又は、
当該ユーザのインスタントメッセージチャットウインドウの要約エリアに、今回のチャットと前回のチャットとの間に発生し且つ要約形式で表れた、連絡者により動的更新された最新の情報を表示するために用いられる、請求項８に記載の連絡者動的情報の提示装置。
【請求項１１】
前記ユーザのインスタントメッセージチャットウインドウは、シングルユーザーとチャットする際のインスタントメッセージチャットウインドウ、インスタントメッセージグループチャットダイアログボックス、モバイルインスタントメッセージチャットダイアログボックス又はモバイルインスタントメッセージチャットアドレスブックを含む、請求項８〜１０のいずれかに記載の連絡者動的情報の提示装置。
【請求項１２】
表示部を有するコンピュータの１つ以上のプロセッサによって実行するための１つ以上のプログラムを記憶する非一時的なコンピュータ可読記憶媒体であって、
前記１つ以上のプログラムは、ユーザの連絡者動的情報を取得するための命令と、ユーザの装置のインスタントメッセージチャットウインドウに連絡者動的情報を表示する命令と、を含む、非一時的なコンピュータ可読記憶媒体。
【国際調査報告】
2014534494.tif 000010
2014534494.tif 000011
2014534494.tif 000012
2014534494.tif 000013